(57)【要約】【課題】ナットとの間の摩擦力が大きくなった場合にも、ナットと共回りして脱落するのを防止することのできるナット脱落防止具の提供。【解決手段】弾性を有する線材でナット脱落防止具１を構成する。線材の中央部にボルト２の外周面を把持するリング部４を形成する。線材の両端部にリング部４を拡径操作する一対の操作部５、６を形成する。リング部４をボルト２の先端部に装着する。線材の一端部がナット３の移動を規制する。線材の一端部が緩み方向に回転するナット３から摩擦力を受ける。線材の一端部が変位してリング部４を縮径させる。【選択図】  図１
2019203516.tif 000002
【特許請求の範囲】
【請求項１】
ボルトの先端部に装着されて前記ボルトに螺合されたナットの脱落を防止するナット脱落防止具であって、
弾性を有する線材からなり、該線材の中央部に形成されて前記ボルトの外周面を把持するリング部と、前記線材の両端部に形成されて前記リング部を拡径操作する一対の操作部とを備え、
前記線材の一端部は、ナットに接触して該ナットの移動を規制すると共に、前記ナットの緩み方向への回転力に起因する摩擦力により、前記リング部を縮径させる方向に変位することを特徴とするナット脱落防止具。  
【請求項２】
前記リング部は、ボルトのねじ山がなす螺旋と巻き方向が反対の螺旋状に形成されたことを特徴とする請求項１に記載のナット脱落防止具。
【発明の詳細な説明】
【技術分野】
【０００１】
本発明は、ボルトの先端部に装着して、そのボルトに螺合されたナットの脱落を防止するナット脱落防止具に関するものである。
【背景技術】
【０００２】
一般に、振動が生じる部位に用いられる各種部品をボルト及びナットで固定する場合、その振動によってナットが緩んで脱落するのを防止するためのナット脱落防止具を設けることが多い（例えば特許文献１）。
【０００３】
図９に示すように、特許文献１のナット脱落防止用クリップ１０１は、線材により、ボルト１０２の谷１０３に嵌まり込んでボルト１０２を抱き締める環状本体部１０４を形成したものである。さらに、環状本体部１０４の両端に、互いに近づけて環状本体部１０４を広がり変形させる一対の操作部１０５を形成し、この操作部１０５に設定したストッパー部１０６をナット１０７の頂面に狭い面積で当接させるようにしている。
【０００４】
このナット脱落防止用クリップ１０１は、ナット１０７が振動等によって緩んだ際、ナット１０７の頂面にストッパー部１０６が押圧されるが、両者が狭い面積で当接するので、その摩擦抵抗を小さくすることができる。これにより、ナット１０７に作用するトルクを受けた環状本体部１０４が拡がって、その抱持力が弱くなるということがなく、ナット脱落防止用クリップ１０１がナット１０７と共回りして脱落することがない。
【先行技術文献】
【特許文献】
【０００５】
【特許文献１】特開２０１０−１２１７０８（請求項１、段落００３２−００３４、図３）
【発明の概要】
【発明が解決しようとする課題】
【０００６】
ところが、特許文献１のナット脱落防止用クリップは、ナットと狭い面積で接触するものの、その接触部分に錆や砂埃を噛み込むことにより、ナットとの間の摩擦力が大きくなりやすい。この大きな摩擦力を介してナットのトルクが環状本体部に伝わることにより、環状本体部が拡がって抱持力が弱くなり、ナット脱落防止用クリップがナットと共回りして脱落するおそれがある。
【０００７】
本発明は、ナットとの間の摩擦力が大きくなった場合にも、ナットと共回りして脱落するのを防止することのできるナット脱落防止具の提供を目的とする。
【課題を解決するための手段】
【０００８】
上記目的を達成するために、本発明に係るナット脱落防止具は、ボルトの先端部に装着して、そのボルトに螺合したナットの脱落を防止するものであり、弾性を有する線材からなり、この線材の中央部に形成してボルトの外周面を把持するリング部と、線材の両端部に形成してリング部を拡径操作する一対の操作部とを備え、その線材の一端部が、ナットに接触してこのナットの移動を規制すると共に、ナットの緩み方向への回転力に起因する摩擦力により、リング部を縮径させる方向に変位するものである。  
【０００９】
上記構成によれば、リング部がその弾性力でボルトの外周面を把持するので、ボルトにナットを螺合した後、一対の操作部でリング部を拡径操作してボルトの先端部に被せ、その拡径操作を解除するだけで、ボルトの先端部に装着してナットの脱落を防止することができる。
【００１０】
しかも、ナット脱落防止具を構成する線材の一端部が、ナットに接触して移動を規制する際、ナットの緩み方向への回転力に起因する摩擦力により、リング部を縮径させる方向に変位するので、ナットとの間の摩擦力が大きくなった場合にも、ナットと共回りして脱落するのを防止することができる。
【００１１】
また、リング部をボルトのねじ山がなす螺旋と巻き方向が反対の螺旋状に形成するようにしてもよい。
【００１２】
この構成によると、例えば、ボルトのねじ山が右螺旋をなす場合に、左螺旋状のリング部を被せるので、リング部のうちのナットに接触する側の端部が、ナットの緩みに伴う左回りの摩擦力によって左回りに変位し、リング部が縮径してボルトの外周面を締め付ける。しかも、リング部とボルトのねじ山との巻き方向が反対であるので、リング部がボルトのねじ山と交差して乗り越えることになり、そのねじ山を食い込ませるようにして、リング部がナットと共回りするのをより確実に防止することができる。
【００１３】
ここで、螺旋状のリング部は、少なくとも螺旋の一部を構成してボルトの外周面を把持するものであればよく、複数回巻かれている必要はない。
【発明の効果】
【００１４】
以上のとおり、本発明によると、ナットが緩み方向に回転しようとする際、ボルトの先端部に装着したナット脱落防止具を接触させてナットの移動を規制するようにしている。これにより、ナット脱落防止具に、ナットの回転力に起因する摩擦力が作用するものの、この摩擦力によってリング部が縮径してボルトの外周面を締め付けるので、ナットとの間の摩擦力が大きくなった場合にも、ナット脱落防止具とナットとが共回りして脱落するのを防止することができる。
【図面の簡単な説明】
【００１５】
【図１】本発明に係るナット脱落防止具を装着したボルト及びナットの斜視図
【図２】ナット脱落防止具の背面図
【図３】図１の平面図
【図４】図１の底面図
【図５】図１の側面図
【図６】別形態のナット脱落防止具を装着したボルト及びナットの斜視図
【図７】図６の平面図
【図８】さらに別の形態のナット脱落防止具を装着したボルト及びナットの側面図
【図９】従来のナット脱落防止具を示す図
【発明を実施するための形態】
【００１６】
以下、本発明に係るナット脱落防止具を実施するための形態について、図面を用いて説明する。
【００１７】
図１〜図５に示すように、ナット脱落防止具１は、ボルト２の先端部に装着してボルト２に螺合されたナット３の脱落を防止するものであり、鋼線などの弾性を有する線材からなり、その線材の中央部に形成されてボルト２の外周面を把持するリング部４と、線材の両端部に形成されてリング部４を拡径操作する一対の操作部５、６と、を備え、そのリング部４が、ボルト２のねじ山７がなす例えば右螺旋と巻き方向が反対の左螺旋状に形成されたものである。
【００１８】
リング部４は、巻き数が１の左螺旋を構成するよう、両端部を周方向にラップさせてラップ部８を構成したリング状とされ、その内径がボルト２の外径よりも小径に設定されている。
【００１９】
操作部５、６は、リング部４の端部から径方向外向きに延設されると共に、その先端部分を径方向内向きに曲げ返した構造とされ、この操作部５、６を摘まんで互いに近づけるよう操作することにより、リング部４を拡径させることができる（図２参照）。
【００２０】
次に、ナット脱落防止具１を使用する手順を説明する。
【００２１】
まず、ボルト２にナット３を螺合した後、ナット脱落防止具１の操作部５、６を操作してリング部４を拡径し、このリング部４をボルト２の先端部に被せる。ナット脱落防止具１をナット３に向けて押し込み、リング部４のラップ部８のうちのナット３の側から操作部５に至る範囲内に設定した接触部９をナット３に接触させる。
【００２２】
操作部５、６の拡径操作を解除することにより、リング部４が元の径に縮径しようとして、ボルト２の外周面を把持する。リング部４は、ボルト２のねじ山７がなす右螺旋と巻き方向が反対の左螺旋状であり、ねじ山７を乗り越えて交差しつつ（図５参照）、部分的にねじ山７と係合する（図４参照）。これにより、ボルト２の先端部にナット脱落防止具１が装着されて、その接触部９がナット３に接触して移動を規制する（図１及び図３参照）。
【００２３】
振動などにより、ナット３に緩み方向への回転力が作用する際、ナット３との摩擦力により、接触部９がリング部４の周方向で外端側に変位しようとする（図１及び図３参照）。これにより、リング部４が縮径しようとし、ねじ山７を食い込ませようとしながらボルト２の外周面を強く締付け、ナット３との共回りを阻止し、ボルト２からのナット脱落防止具１及びナット３の脱落を防止する。
【００２４】
なお、本発明は、上記の実施の形態に限定されるものではなく、本発明の範囲内において、適宜変更を加えることができる。例えば、図６及び図７に示すように、リング部４をボルト２のねじ山７がなす例えば右螺旋と巻き方向が同じ右螺旋状に形成するようにしてもよい。この場合、リング部４をナット３から離して配置するものとし、リング部４のラップ部８のうちのナット３の反対側から延設される操作部５をナット３の方向に迫り出させて、操作部５の基端付近に設定した接触部９をナット３の正面に接触させればよい。これにより、ナット３が緩み方向に回転しようとする際、ナット３と接触部９との摩擦力により、操作部５をリング部４の周方向で外端側に変位させることができ、リング部４でボルト２の外周面を強く締付けて、ナット３との共回りを阻止することができる。
【００２５】
さらに、図８に示すように、リング部４をボルト２のねじ山７と同じ巻き方向に設定すると共に、ナット３から離して配置するものとし、操作部５を構成する線材の先端を接触部９としてナット３の周面に接触させるようにしてもよい。この場合、操作部５を構成する線材の先端部分をナット３の位置する側に曲げ返してナット３の周面に接触するようにし、操作部６を構成する線材を短くしてナット３から離すようにすればよい。これにより、ナット３が緩み方向に回転しようとする際、操作部５をナット３の周面の角部に係合させて、リング部４の周方向で外端側に変位させることができ、リング部４でボルト２の外周面を強く締付けて、ナット３との共回りを阻止することができる。
【符号の説明】
【００２６】
１      ナット脱落防止具
２      ボルト
３      ナット
４      リング部
５      操作部
６      操作部
７      ねじ山
８      ラップ部
９      接触部
【図１】
2019203516.tif 000003
【図２】
2019203516.tif 000004
【図３】
2019203516.tif 000005
【図４】
2019203516.tif 000006
【図５】
2019203516.tif 000007
【図６】
2019203516.tif 000008
【図７】
2019203516.tif 000009
【図８】
2019203516.tif 000010
【図９】
2019203516.tif 000011